(57)【要約】【課題】複数枚重ねた紙幣をきれいに結束することができる紙葉類結束装置を提供することを課題とする。【解決手段】実施形態に係る紙葉類結束装置は、複数枚の紙葉類を重ねた被結束体を紙葉類の重ね方向に押して被結束体を重ね方向に移動する押圧部材と、被結束体の移動方向の前方で重ね方向と直交する方向に結束帯を供給する供給部と、押圧部材によって押されて結束帯が巻き付けられた被結束体の移動方向の後端に沿って結束帯を折り返すとともに、被結束体の後端を押える押え部材と、折り返した結束帯同士を結着して切断する結着切断部と、を有する。【選択図】      図２
2018043769.tif 000002
【特許請求の範囲】
【請求項１】
複数枚の紙葉類を重ねた被結束体を紙葉類の重ね方向に押して該被結束体を前記重ね方向に移動する押圧部材と、
前記被結束体の移動方向の前方で前記重ね方向と直交する方向に結束帯を供給する供給部と、
前記押圧部材によって押されて前記結束帯が巻き付けられた前記被結束体の前記移動方向の後端に沿って前記結束帯を折り返すとともに、前記被結束体の後端を押える押え部材と、
前記折り返した前記結束帯同士を結着して切断する結着切断部と、
を有する紙葉類結束装置。
【請求項２】
前記押圧部材は、固定の押圧部材とこれに対して可動な押圧部材から構成され、前記可動な押圧部材は前記後端を押している状態の前記押圧部材によって押し下げられるように配置される、
請求項１の紙葉類結束装置。
【請求項３】
前記結着切断部は、前記押え部材に設けられている、
請求項１の紙葉類結束装置。
【請求項４】
前記結着切断部は、前記結束帯に沿って離間して並んだ２つの押圧部材、およびこれら２つの押圧部材の間で前記結束帯同士を溶着する溶着部材を有する、
請求項３の紙葉類結束装置。
【請求項５】
被結束体を支える支持部材は、可動のガイドが設けられており、被結束体の側面を保持可能な様に配置される、
請求項１の紙葉類結束装置。
【発明の詳細な説明】
【技術分野】
【０００１】
本発明の実施形態は、複数枚の紙葉類を重ねて結束する紙葉類結束装置に関する。
【背景技術】
【０００２】
従来、複数枚の紙葉類を重ねて結束する紙葉類結束装置として、例えば、複数枚の紙幣を重ねて帯状のフィルムで結束する装置が知られている。この装置は、例えば、鉛直方向に重ねた複数枚の紙幣を鉛直方向に圧縮した状態のまま水平方向に移動し、移動方向の前方に供給されているフィルムを複数枚の紙幣に巻き付けながらコンベヤベルト間に複数枚の紙幣を押し込み、複数枚の紙幣の後方でフィルム同士を溶着して結束する。
【先行技術文献】
【特許文献】
【０００３】
【特許文献１】特表２００１−５２４０５７号公報
【発明の概要】
【発明が解決しようとする課題】
【０００４】
しかし、上述した従来の装置では、紙幣の重ね方向と押込み方向が異なるため、重ねた複数枚の紙幣をコンベヤベルト間に押し込む際に、複数枚の紙幣の姿勢が崩れてきれいに結束できない可能性がある。
【０００５】
よって、複数枚重ねた紙幣をきれいに結束することができる紙葉類結束装置の開発が望まれている。
【課題を解決するための手段】
【０００６】
実施形態に係る紙葉類結束装置は、複数枚の紙葉類を重ねた被結束体を紙葉類の重ね方向に押して被結束体を重ね方向に移動する押圧部材と、被結束体の移動方向の前方で重ね方向と直交する方向に結束帯を供給する供給部と、押圧部材によって押されて結束帯が巻き付けられた被結束体の移動方向の後端に沿って結束帯を折り返すとともに、被結束体の後端を押える押え部材と、折り返した結束帯同士を結着して切断する結着切断部と、を有する。
【図面の簡単な説明】
【０００７】
【図１】図１は、実施形態に係る紙幣処理装置のブロック図である。
【図２】図２は、図１の紙幣処理装置に組み込まれた結束処理部の集積機構を示す概略図である。
【図３】図３は、図１の紙幣処理装置に組み込まれた結束処理部の結束機構を示す概略図である。
【図４】図４は、図３の結束機構の動作を説明するための図である。
【図５】図５は、図３の結束機構の動作を説明するための図である。
【図６】図６は、図３の結束機構の動作を説明するための図である。
【図７】図７は、図３の結束機構の動作を説明するための図である。
【図８】図８は、図３の結束機構の動作を説明するための図である。
【図９】図９は、図３の結束機構の動作を説明するための図である。
【図１０】図１０は、図３の結束機構の動作を説明するための図である。
【図１１】図１１は、図３の結束機構の動作を説明するための図である。
【図１２】図１２は、図３の結束機構の押圧部材と上グリッパの動作を説明するための図である。
【図１３】図１３は、図２の集積機構を示す斜視図である。
【発明を実施するための形態】
【０００８】
以下、図面を参照しながら実施形態について詳細に説明する。  
図１は、実施形態に係る紙幣処理装置１００のブロック図である。
【０００９】
紙幣処理装置１００は、筐体１００ａを有し、筐体１００ａ内の上方を通って略水平に延びた搬送路１０１を有する。この搬送路１０１は、紙幣処理装置１００と別体に（図示右側に）並設した供給装置１１０から受け取った図示しない紙幣（紙葉類）を１枚ずつに分離して搬送する。供給装置１１０は、集積した状態の複数枚の紙幣を１枚ずつ搬送路１０１へ送り込む。
【００１０】
紙幣処理装置１００は、搬送路１０１に沿って２つの検出装置１０２、１０２を有する。本実施形態では、搬送路１０１の両側（図示上側および下側）に互いに対向する２つの検出装置１０２を設けた。検出装置１０２の数は任意に設定可能である。各検出装置１０２は、搬送路１０１の中心に配置される。２つの検出装置１０２は、搬送路１０１を介して搬送される紙幣の両面それぞれからその特性を検出する。
【００１１】
検出装置１０２は、例えば、紙幣の汚れを検出する紫外光を用いたものであってもよく、蛍光および／或いは燐光を用いたものであってもよい。いずれにしても、検出装置１０２は、紙幣の真偽、損毀損、金種、および他の特性を検出する。
【００１２】
検出装置１０２を通過した紙幣は、それぞれ、検出された特性に基づいて、搬送路１０１を介して所定の処理部１０３〜１０６へ指向される。搬送路１０１上には、紙幣を所望する搬送先へ搬送するための図示しないゲートや図示しない搬送ガイドが設けられている。
【００１３】
搬送路１０１の最も上流に設けた処理部１０４は、偽造された疑いのある紙幣や再検査が必要と判断された紙幣、或いは２枚重ねて取り出されて分離できなかった紙幣や検出可能な限度を超えて傾いて取り出されてしまったスキュー紙幣などを集積するリジェクト集積部１０４である。
【００１４】
リジェクト集積部１０４の下流側の処理部１０５は、正規の紙幣ではあるが再使用不可能と判断された汚毀損の度合いが激しい紙幣を計数して裁断するシュレッダー１０５である。
【００１５】
また、シュレッダー１０５の下流側に設けた２つの処理部１０６、１０６は、特定金種の紙幣を一定枚数重ねて束ねる結束処理部１０６、１０６である。結束処理部１０６の数は任意に設定可能であり、金種毎に設けてもよく、同一金種に対して複数設けてもよい。
【００１６】
さらに、搬送路１０１の終端に設けた処理部１０３は、いずれの処理部１０４、１０５、１０６にも割り当てられなかった紙幣を集積する終端集積部１０３であり、例えば、結束しない正常な紙幣を計数して集積する集積部である。
【００１７】
紙幣処理装置１００は、紙幣処理装置１００の各部の動作を制御する制御装置１０８を有する。制御装置１０８は、例えば、検出装置１０２における検出動作を制御し、各処理部１０３〜１０６における集積、裁断、結束などの各種動作を制御し、搬送路１０１を介して搬送する紙幣の搬送先を指定する。制御装置１０８は、単一の処理装置であってもよく、或いは多数のプロセッサーを含んでいてもよい。
【００１８】
さらに、紙葉類処理装置１００は、制御装置１０８をコントロールするために使用されるコンピューター・コードなどを格納する記憶媒体（例えばメモリまたは記憶装置）を含んでいる。制御装置１０８は、このようなアクセス可能なメモリからプログラムを読み込んで、各種工程を実行する。制御装置１０８は、専用汎用コンピューター、ＲＩＳＣやＣＩＳＣなどのコンピューター・プロセッサー、デジタル信号プロセサ（ＤＳＰ）などを含んでいる。
【００１９】
上述した複数の結束処理部１０６は、それぞれ、複数枚の紙幣をハンドリングし易い大きさに束ねるための装置構成を備えている。例えば、本実施形態では、各結束処理部１０６は、所定枚数（本実施形態では１００枚）の紙幣を小帯で施封する図示しない施封機構を備えている。また、各結束処理部１０６は、施封機構で施封した紙幣の把を複数個（本実施形態では１０把）重ねて結束する結束機構１０（例えば、図３参照）を備えている。
【００２０】
結束機構１０は、本発明の紙葉類結束装置の一例である。ここでは図示しない施封機構は本発明に必須の構成ではなく、バラの紙幣を所定枚数（本実施形態では１０００枚）重ねて結束機構１０で結束するようにしてもよい。なお、本実施形態では、各結束機構１０は、１０個の把ｔを重ねて束ねて１０００枚の紙幣の束Ｔを作成するが、１把に含む紙幣の枚数や１束に含む把ｔの個数は任意に変更可能である。
【００２１】
図２に示すように、把ｔの集積機構９は、結束機構１０の上流側に配置されており、図示しない施封機構から排出された把ｔを押圧部材１の上に順次下降しながら受け取り把を集積する。集積把Ｔ’と押圧部材１は同一の集積機構９に設けられており、集積完了後、図示しない回転機構により、集積された上端の把ｔが結束フィルムｆに近接する位置まで矢印方向に集積把Ｔ’を回転移動する。この状態（図２に破線で示す状態）で、集積把Ｔ’に含まれる各把ｔは、その短手方向が上下に向く立位状態となり、図示しない支持部材によって下端を支えられた状態となる。
【００２２】
図３に示すように、結束機構１０は、１０個の把ｔを重ね方向（図示右方）に押してこの集積把Ｔ’（被結束体）を図示右方向へ移動する押圧部材１を有する。押圧部材１は、集積把Ｔ’の重ね方向の一端にある把ｔ（図示左端の把）に接触する平らな押圧面１ａを有し、図示しない移動機構によって、集積把Ｔ’を押圧する方向（図示右方向）に移動される。
【００２３】
また、結束機構１０は、集積把Ｔ’の移動方向の前方に帯状の結束フィルムｆ（結束帯）を供給するための供給装置２０（供給部）を有する。供給装置２０は、押圧部材１に対して集積把Ｔ’の反対側で、集積把Ｔ’の重ね方向と直交する方向に結束フィルムｆを供給する。本実施形態では、集積把Ｔ’の短手方向に沿って結束フィルムｆを巻くため、供給装置２０は、鉛直方向に沿うように結束フィルムｆを供給する。
【００２４】
具体的には、供給装置２０は、結束フィルムｆを巻いた上下２つのフィルムロール２１、２２を備えている。フィルムロール２１、２２は、それぞれ、把ｔの重ね方向と直交し且つ結束フィルムｆの長手方向と直交する方向に延びた回転軸を有する。２つのフィルムロール２１、２２は、同じ材質で同じ幅の結束フィルムｆを巻いたものであり、結束フィルムｆの先端同士が結着部ｆ’で結着されて１本の帯状につながっている。上フィルムロール２１の回転軸２１ｂには、モータ２３が取り付けられており、結束フィルムｆを巻き取る方向に所定のトルクが与えられている。
【００２５】
また、供給装置２０は、結束フィルムｆを巻回してガイドする複数のガイドローラ２５（２５ａ）を備えている。ガイドローラ２５は、集積把Ｔ’の押圧部材１とは反対側で結束フィルムｆの一部が集積把Ｔ’の重ね方向と直交する鉛直上下方向に延設されるように結束フィルムｆの走行位置を設定する。また、ガイドローラ２５は、結束フィルムｆに所定の張力を与えるテンションローラ２５ａを含む。
【００２６】
また、２つのフィルムロール２１、２２には、それぞれ、ブレーキローラ２４Ｈ、２４Ｌが取り付けられている。ブレーキローラ２４Ｈ、２４Ｌは、それぞれ、フィルムロール２１、２２の外周面２１ａ、２２ａに押圧されてフィルムロール２１、２２の回転にブレーキをかけるよう機能する。
【００２７】
例えば、一方のブレーキローラ２４Ｈは、ソレノイドなどのアクチュエータによって上フィルムロール２１の外周面２１ａに押し付けられる位置と外周面２１ａから離間する位置に選択的に移動される。また、もう一方のブレーキローラ２４Ｌは、ソレノイドなどのアクチュエータによって下フィルムロール２２の外周面２２ａに押し付けられる位置と外周面２ａから離間する位置に選択的に移動される。
【００２８】
結束機構１０は、さらに、上グリッパ３、および下グリッパ４を有する。２つのグリッパ３、４は、それぞれ、集積把Ｔ’の重ね方向と直交し且つ結束フィルムｆの供給方向と直交する方向（紙面と直交する方向）に延設され、少なくとも結束フィルムｆの幅を超える長さを有する。
【００２９】
集積把Ｔ’は、押圧部材１によって押されて、供給装置２０によって供給された結束フィルムｆを押しながら上グリッパ３と下グリッパ４の間に押し込まれる。これにより、集積把Ｔ’を重ね方向に押圧した状態で、結束フィルムｆが集積把Ｔ’に徐々に巻き付けられる。
【００３０】
上グリッパ３および下グリッパ４は、結束フィルムｆが巻き付けられた集積把Ｔ’の移動方向の後端に沿って結束フィルムｆを折り返すように機能する。このとき、２つのグリッパ３、４は、同時に、集積把Ｔ’の移動方向の後端を押えるよう機能する。つまり、上グリッパ３および下グリッパ４は、重ね方向に押圧された集積把Ｔ’が逆方向に戻らないように集積把Ｔ’の後端を押える押え部材として機能する。上グリッパ３および下グリッパ４は、図示しないアクチュエータによって互いに離接する上下方向に移動可能となっている。
【００３１】
上グリッパ３は、少なくとも下グリッパ４に対向する下面側がゴムにより形成されている。下グリッパ４は、上グリッパ３との間で結束フィルムｆを挟む２枚の押圧ブレード５、６を有する。以下の説明では、集積把Ｔ’の移動方向に沿って上流側の押圧ブレード５を上流ブレード５と称し、移動方向に沿って下流側の押圧ブレード６を下流ブレード６と称する場合もある。２つの押圧ブレード５、６は、それぞれ、上述したアクチュエータ（例えば、カム機構など）によって独立して駆動可能となっている。
【００３２】
さらに２つの押圧ブレード５、６の間には、ヒータブレード７が突没可能に設けられている。ヒータブレードも、図示しないアクチュエータ、例えばカム機構によって、上グリッパ３に対して離接する方向に駆動される。ヒータブレード７は、図示しない熱源に接続されており、２つの押圧ブレード５、６によって上グリッパ３に押し付けられた結束フィルムｆを溶着（結着）して切断する結着切断部として機能する。
【００３３】
押圧部材１によって押し出された集積把Ｔ’を支持するテーブル３１は、図１３に示すように集積把Ｔ’の長手方向を整位する可動のガイド板３２を有している。集積把Ｔ'が押し出し部材１により押し出されるとき、集積把Ｔ'には圧縮力が加わっているために扇状に変形し結束形態が崩れる可能性がある。ガイド板３２は、事前に券の長手長さより若干幅の広い位置に移動しており、集積把Ｔ’が崩れることを防止する。
【００３４】
以下、上述した結束機構１０による動作について、図１２を参照しつつ図３乃至図１１を参照しながら説明する。  
図３に示す状態から、図４に示すように押圧部材１が矢印Ｆ方向に移動されて、集積把Ｔ’が結束フィルムｆを押しながら２つのグリッパ３、４の間に押し込まれると、集積把Ｔ’の移動方向の先端面から上面および下面にかけて結束フィルムｆが徐々に集積把Ｔ’に巻き付けられる。
【００３５】
このとき、供給装置２０の上フィルムロール２１および下フィルムロール２２に対して、それぞれブレーキローラ２４Ｈ、２４Ｌによって回転を抑制するブレーキ力が与えられており、結束フィルムｆが矢印Ｓ１、Ｓ２方向に引っ張られながら集積把Ｔ’に巻き付けられる。
【００３６】
このため、集積把Ｔ’は、図示左端が押圧部材１によって押圧され、且つ図示右端が結束フィルムｆによって押さえつけられることになり、その重ね方向に圧縮されることになる。このとき、集積把Ｔ’の圧縮力は、ブレーキローラ２４Ｈ、２４Ｌによってフィルムロール２１、２２に与えるブレーキ力を変えることで変更することができる。
【００３７】
集積把Ｔ’の圧縮力は、ブレーキローラ２４Ｈ、２４Ｌによらずテンション機構により負荷する事も可能である。たとえば、テンションローラ２５ａを揺動可能な構造としてバネで附勢し、テンショナの位置を図示しないセンサで検出し、センサの信号によりモータ２３を駆動する事で圧縮力を得る事が可能である。また、センサを複数個設け、附勢バネを強弱２種類設けることにより、後述するフィルム溶断を行う弱テンションと、圧縮力を加える強テンションを切り替えることも可能となる。
【００３８】
そして、図５に示すように、集積把Ｔ’の移動方向の後端が上下２つのグリッパ３、４を超える位置まで集積把Ｔ’が移動すると、この位置で集積把Ｔ’の移動が停止され、図６に矢印で示すように、２つのグリッパ３、４が集積把Ｔ’の移動方向の後端に沿って互いに近付く方向にわずかに移動される。
【００３９】
これにより、集積把Ｔ’の上面および下面に巻き付けられた結束フィルムｆがそれぞれ集積把Ｔ’の移動方向の後端に沿ってわずかに折り返される。また、これにより、集積把Ｔ’の移動方向の後端がその角部近くで２つのグリッパ３、４によって押えられる。この状態で、集積把Ｔ’は、上述したように重ね方向に圧縮されているため、結束フィルムｆが集積把Ｔ’を締め付けた状態となっている。
【００４０】
図５において、押圧部材１は、上グリッパ３、下グリッパ４との間にあるためこの状態ではグリッパ３、４と干渉するため退避しなければならないが、集積把Ｔ’はフィルムにより押し戻される方向に引っ張られているため押圧部材１を退避する前に、集積把Ｔ’を押さえる手段が必要となる。
【００４１】
図１２に示すように押圧部材１は、スライドする部分３ａと固定されている部分１ａから構成されており上下方向にスライドする。上グリッパ３が下降動作すると上グリッパ３は部分１ａを押し下げながら集積把Ｔ’の側面に差し込まれる。このため、結束フィルムｆの巻き付けによって集積把Ｔ’が崩れる心配がない。
【００４２】
また集積把Ｔ’の下面は下グリッパ４がせりあがり図６の状態となる。この状態で押圧部材１が後退すると集積把Ｔ’は、上グリッパ３と下グリッパ４により上下端を引っ掛けられているため戻る事が無く、押圧部材１は後退することができる。
【００４３】
スライドする部分３ａは、上グリッパ３で押さえられている状態がなくなるとバネにより元に戻る。上グリッパ３が下降する量は、券種による集積把Ｔ’の高さに応じて可変とする事で適切な引っ掛け量とすることが可能である。押圧部材１が完全に後退した後、上グリッパ３は、集積把Ｔ’の後端を押さえながらさらに下降し下グリッパ４と突き当たるまで下降し、結束フィルムｆを重ねた状態で挟持する。
【００４４】
図７に示すように上グリッパ３と下グリッパ４によって上下２枚の結束フィルムｆを重ねて挟持した状態で、図８に示すように、２つの押圧ブレード５、６の間からヒータブレード７が上昇され、上グリッパ３に押し付けられる。このとき、上流ブレード５と上グリッパ３との間で２枚の結束フィルムｆが挟持され、且つ下流ブレード６と上グリッパ３との間で２枚の結束フィルムｆが挟持されているため、２枚の結束フィルムｆは、溶着位置の両側をしっかり保持された状態で、上流ブレード５と下流ブレード６の間で溶着される。
【００４５】
この後、図９に示すように、上フィルムロール２１の外周面２１ａからブレーキローラ２４Ｈが離間され、下フィルムロール２２の外周面２２ａからブレーキローラ２４Ｌが離間され、結束フィルムｆのテンションが一旦緩められる。そして、上フィルムロール２１を弱い力でわずかに巻いて結束フィルムｆに弱いテンションを与える。
【００４６】
この状態から、図１０に示すように、上流ブレード５を下降させて上グリッパ３から離間させると、フィルムロール２１、２２側の結束フィルムｆが弱い力で引っ張られ、溶着位置で切断されて分離される。この状態で、集積把Ｔ’側の結束フィルムｆは下流ブレード６と上グリッパ３で挟持拘束されている。
【００４７】
この後、ヒータブレード７を下降させて上グリッパ３から離間させ、溶着部分を冷却して確実に結着させる。このように結束フィルムｆの両端が結着した後、下流ブレード６を下降させて上グリッパ３から離間させる。これで、束Ｔが形成される。
【００４８】
最後に、図１１に示すように、上グリッパ３を図示矢印方向に上昇させて、次に結束する集積把Ｔ’を待機する。本実施形態では、図６に示す状態から上グリッパ３を下降させて下グリッパ４に押し付けるようにしたため、結束フィルムｆの溶着位置が下グリッパ４に近い位置となっている。このため、上フィルムロール２１と下フィルムロール２２の消費量をそろえるように、上フィルムロール２１を少し巻いて、結束フィルムｆの結着部ｆ’を上フィルムロール２１側へ移動させておく。
【００４９】
以上のように、本実施形態によると、押圧部材１によって集積把Ｔ’を重ね方向に押圧して、結束フィルムｆに集積把Ｔ’を押し込んで、集積把Ｔ’の後端側で結束フィルムｆを折り返して後端を支えるようにしたため、結束フィルムｆを集積把Ｔ’にしっかりと巻き付けることができ、複数枚重ねた紙幣をきれいに結束することができる。
【００５０】
また、本実施形態によると、集積把Ｔ’を結束のために圧縮する部材（本実施形態の押圧部材１や上下グリッパ３、４に相当）が結束フィルムｆの外側に配置されるため、結束フィルムｆの結束の妨げになることがない。このため、本実施形態によると、集積把Ｔ’の幅と略同じ幅の結束フィルムｆを集積把Ｔ’に巻き付けることができ、束Ｔの結束状態を極めて安定させることができる。
【００５１】
また、本実施形態によると、押圧部材１と上グリッパ３を入れ子状に配置可能としたため、押圧部材１の押圧面１ａで押圧した状態の集積把Ｔ’の端部を上グリッパ３の板状突部３ａによって押えることができ、結束フィルムｆを巻き付ける際に集積把Ｔ’が集積姿勢を乱すことを防止することができる。
【００５２】
また、本実施形態によると、下グリッパ４にて集積把Ｔ’の移動方向の後端角部を押えた状態で、上グリッパ３を下グリッパ４に向けて移動させる際に、複数の板状突部３ａの端部を集積把Ｔ’に圧接させた状態でスライドさせることができ、結束フィルムｆを集積把Ｔ’の後端面に押し付けながら巻き付けることができる。このとき、複数の板状突部３ａが上グリッパ３の移動方向に延設された端部を有するため、集積把Ｔ’との間の接触面積を小さくでき、上グリッパ３の移動をスムーズにできる。
【００５３】
また、本実施形態によると、下グリッパ４に対して上グリッパ３の可動範囲を大きくして、下グリッパ４の上流ブレード５、下流ブレード６、およびヒータブレード７の移動距離を短くしたため、これら３つのブレード５、６、７をカム機構を用いて独立して移動させることができる。これにより、下グリッパ４の各ブレード５、６、７を移動させるアクチュエータを簡略化することができ、微細な動きを実現できる。
【００５４】
また、本実施形態によると、下グリッパ４の上流ブレード５および下流ブレード６と上グリッパ３の間で結束フィルムｆを挟持拘束した状態で、これら２つのブレード５、６の間に配置したヒータブレード７によって結束フィルムｆを溶着するようにしたため、結束フィルムｆを結着部ｆ’で確実に溶着することができる。
【００５５】
また、本実施形態によると、結束フィルムｆを結着部ｆ’で溶着した後、結束フィルムｆに弱いテンションを与えた状態で、フィルムロール２１、２２側の上流ブレード５を上グリッパ３から離間させて、結束フィルムｆを結着部ｆ’で切断するようにしたため、結束フィルムｆをきれいに切断することができる。
【００５６】
さらに、本実施形態によると、結束フィルムｆを結着部ｆ’で切断した後、下流ブレード６と上グリッパ３との間で束Ｔ側の結束フィルムｆを挟持拘束した状態で、ヒータブレード７を上グリッパ３から離間させるようにしたため、結着部ｆ’を十分に冷却させて確実に結着させることができる。
【００５７】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【００５８】
例えば、上述した実施形態では、複数枚の紙幣を結束する装置に本発明を適用した場合について説明したが、これに限らず、各種チケットやカードなどの紙葉類を結束する装置に本発明を適用することができる。
【符号の説明】
【００５９】
１…押圧部材、１ａ…押圧面、１ｂ…スリット、３…上グリッパ、３ａ…板状突部、４…下グリッパ、５…上流ブレード、６…下流ブレード、７…ヒータブレード、２０…供給機構、２１…上フィルムロール、２１ａ、２２ａ…外周面、２２…下フィルムロール、２４Ｈ、２４Ｌ…ブレーキローラ、３１…テーブル、３２…ガイド板、ｔ…把、Ｔ’…集積把、Ｔ…束。
【図１】
2018043769.tif 000003
【図２】
2018043769.tif 000004
【図３】
2018043769.tif 000005
【図４】
2018043769.tif 000006
【図５】
2018043769.tif 000007
【図６】
2018043769.tif 000008
【図７】
2018043769.tif 000009
【図８】
2018043769.tif 000010
【図９】
2018043769.tif 000011
【図１０】
2018043769.tif 000012
【図１１】
2018043769.tif 000013
【図１２】
2018043769.tif 000014
【図１３】
2018043769.tif 000015